(57)【要約】本発明は、少なくとも一対の導波管フィルタを含むターレット要素（２）からなり、各フィルタは特定の周波数帯域で動作し、ターレット要素はソースアンテナ（１）と電磁波送信器／受信器モジュール（３）との間に収容される、電磁波を濾波する装置に関連する。
2004527148.tif 000002
【特許請求の範囲】
【請求項１】
少なくとも一対の導波管フィルタ（２１ａ−２１ｂ，２２ａ−２２ｂ，２３ａ−２３ｂ）を含むターレット要素（２）を有し、各フィルタは特定の周波数帯域で動作することを特徴とする、電磁波を濾波する装置。
【請求項２】
前記ターレット要素は、軸回りに回転可能な筒状の要素２０であり、前記軸に平行に、前記軸を中心とする筒上に配置された導波管（２１ａ−２１ｂ，２２ａ−２２ｂ，２３ａ−２３ｂ）を有することを特徴とする、請求項１記載の装置。
【請求項３】
前記導波管は筒状の空洞によって形成されることを特徴とする、請求項１又は２記載の装置。
【請求項４】
前記筒状の空洞は、円形、矩形、又は方形の断面を有することを特徴とする、請求項３記載の装置。
【請求項５】
前記筒状の空洞は結合絞りを具備することを特徴とする、請求項３及び４記載の装置。
【請求項６】
ソースアンテナ（１）と、請求項１乃至５のうちいずれか一項記載の濾波装置（２）と、電磁波送信器／受信器モジュール（３）とを含む電磁波を送信／受信する装置であって、
前記ソースアンテナを前記濾波装置の前記選択された一対のフィルタに接続する要素（５）を含むことを特徴とする装置。
【請求項７】
前記接続要素は、Ｔ字型要素又は直交モードからなることを特徴とする、請求項６記載の装置。
【請求項８】
前記濾波装置の前記選択された一対のフィルタは２つの導波管構成要素（６ａ，６ｂ）からなる要素（６）によって前記送信器／受信器モジュールに接続されることを特徴とする、請求項６又は７記載の装置。
【発明の詳細な説明】
【０００１】
本発明は、電磁波を濾波する装置に係り、更に特定的には特に放送電波を通じてマルチメディアアプリケーションを放送するのに用いられるワイヤレス通信システムに適用される濾波装置に関連する。
【０００２】
これまでにない大きな情報のスループットを処理することを可能とするディジタル技術により、放送電波を通じてマルチメディアアプリケーションを放送するための利用可能な周波数帯域の問題が生じている。十分なスループットのためには、自由帯域に近づくよう周波数を高めることが行われる趨勢がある。従って、ミリメートル帯域の新しい双方向無線システムが出現している。特に知られているのは、４０．５ＧＨｚから４３．５ＧＨｚの間の周波数帯域の３ＧＨｚを占めるＭＷＳ方式（マルチメディア・ワイヤレス・システム：Ｍｕｌｔｉｍｅｄｉａ Ｗｉｒｅｌｅｓｓ Ｓｙｓｔｅｍ）である。これらの固定の方式は、移動電話方式（ＧＳＭ）に用いられる種類のセルラー利用に依存する。セル間の干渉を防止するため、これらの方式は、適切な数のセルを含むパターンを用い、このパターンの各セルは、その周波数帯域によって、また、アンテナによって用いられる偏波によって他のセルと区別される。これにより、同じ周波数と同じ偏波を用いる二の加入者の間の距離を最大とすることができ、それにより干渉の危険性を制限することができる。
【０００３】
更に、これらのシステムは双方向であるため、「全二重」又は同時双方向モードで伝送を行いうる。この場合、加入者側の送信又は受信部は、送信と受信の間の分離に関して厳しい制限条件を満たさねばならない。従って、ダイプレクサの実施を優れたものとするため及び加入者端末の費用を制限するために、上り路と下り路の間で適切な周波数ギャップが確保されねばならない。従って、送信路と受信路を分離することを可能とするダイプレクサを形成する２つのフィルタを選択することが同時に必要である。周波数ギャップが送信／受信モジュールの実施の制約条件によって固定されているとき、利用のために必要とされる周波数計画を全体的に網羅することを可能とする多数の送信及び受信フィルタ対又はＲｘＴｘフィルタがある。この種類のシステムの正確な利用を確実とするため、幾つかの周波数帯域で動作する加入者用送信器／受信器モジュールの幾つかのモデルがあることが必要である。この多数の形態により加入者端末の大量生産を行う場合に費用の問題が生じ、この問題は共用される周波数帯域が大きくなればなるほど深刻なものとなる。
【０００４】
所望の周波数帯域に従って幾つかの種類の送信器／受信器モジュールを有することを回避するための一つの解決策は、周波数計画を網羅する全てのフィルタを含む送信器／受信器モジュールを設計することであり、フィルタの選択はダイオードを用いて電子的な切換によって行われる。しかしながら、送信器／受信器モジュールを実施するために必要とされるダイオードの使用と数は、端末の費用を高める傾向がある。更に、切換回路は、ミリメートル周波数での損失を生じさせ、送信器／受信器モジュールの性能を低下させる。周波数帯域と信号の偏波の選択が加入者のところに端末を設置したときにのみ行われることを考えると、上述の解決策は、はるかに複雑すぎ、費用がかかりすぎるものである。
【０００５】
従って、本発明は、上述の欠点を克服することを可能とする電磁波を濾波する装置を提案することを目的とする。
【０００６】
従って、本発明の対象は、少なくとも一対の導波管フィルタを含むターレット要素を有し、各フィルタは特定の周波数帯域で動作することを特徴とする電磁波を濾波する装置である。
【０００７】
１つの実施例によれば、ターレット要素は、軸回りに回転可能な筒状の要素であり、軸に平行に、軸を中心とする筒上に配置された導波管を有する。導波管は、円形、矩形、又は方形の断面を有しうる筒状の空洞によって形成される。この場合、フィルタ対は全て回転軸を有する１つの構成要素上で利用可能であり、ダイプレクサの選択は、ソースアンテナと送信器／受信器装置の送信／受信ブロックとに接触するこの構成要素を回転させることによって行われる。この装置を用いることにより、全てのフィルタ対を含む単一の小型の構成要素が形成される。インストーラによって選択が行われると、組立体をクランプすることによって導波管の完全な連続性が確実とされる。送信される信号は、同様の偏波又は直交偏波されたものでありうる。ソースアンテナに対する濾波装置の接続は、導波管Ｔ字型要素又は直交モードのいずれかを用いて行われる。更に、濾波装置は、２つの導波管構成要素からなる要素によって送信器／受信器モジュールに接続される。
【０００８】
本発明の他の特徴及び利点は、添付の図面を参照して説明される以下の望ましい実施例から明らかとなろう。
【０００９】
例として、本発明についてＭＷＳ方式で動作するよう適応された電磁波濾波装置を参照して説明する。上述のように、ＭＷＳ（マルチメディア・ワイヤレス・システム）方式は、４０．５ＨＧｚ乃至４３．５ＧＨｚの付近の周波数の３ＧＨｚを占める。「全二重」の使用の場合、各オペレータには下り路及び上り路のために特定の周波数が割り当てられる。提案される周波数計画のうちの１つは、適切な二重ギャップ、即ち１ＧＨｚ乃至４０ＧＨｚを保持しつつ３つの組合せを提供する。各組合せに対して、
上り伝送路用の３００ＭＨｚ、
下り伝送路用の７００ＭＨｚ、
が予約される。
【００１０】
表Ａに、３つの可能な組合せを示す。
【表１】
2004527148.tif 000003
更に、より豊富なパターンを提案するために、送信及び受信は、各セル内の直交偏波のもとで行われる。これにより、同じ送信及び受信周波数が近傍のセル内で再利用されることが可能となる。
【００１１】
図１中、利用のために必要とされる全ての周波数の組合せを網羅する単一の送信器／受信器モジュールを可能とする濾波装置が示されている。図示するように、装置は、電磁波を受信又は送信するためのソースアンテナ１と、以下詳述する小型の回転構成要素からなる濾波装置２と、公知の方法で送信路及び受信路からなる送信器／受信器モジュール３とを含み、この送信器／受信器モジュールは、直交偏波での使用を可能とするようモジュールを９０°回転させることを可能とする支持要素４に取り付けられている。例えば、受信は水平偏波で行われ、送信は垂直偏波で行われ、組立体を９０°回転させた後、受信は垂直偏波で行われ、送信は水平偏波で行われる。
【００１２】
更に、上述の３つの要素、即ち、ソースアンテナ１、濾波装置２、及び送信器／受信器モジュール３、の接続を可能とするため、装置はソースアンテナ１と濾波装置２の間に第１の接続要素５を含み、この接続要素５は、ソースアンテナ側導波管要素と矢印ｆ、ｆ’で象徴的に示されるような２つの濾波装置側導波管構成要素（図示せず）とからなる導波管Ｔ字型要素からなる。同様に、送信器／受信器モジュール３と濾波装置２の間に第２の接続要素６が設けられる。この接続要素６は、接続要素の中心を通る同一直線上に配置される２つの導波管６ａ，６ｂを含む構成要素からなる。Ｔ字型要素の導波管又は要素６の導波管は、ターレット装置のフィルタと同じ断面、即ち図示の実施例では円形の断面を示す。
【００１３】
以下、本発明による濾波装置２について詳述する。この濾波装置は、図示の実施例では３対の導波管フィルタからなり、各フィルタは特定の周波数帯域で動作する。従って、図示するように、ターレット要素２は、真鍮、アルミニウム等から形成される中実の筒状要素からなり、その軸２０回りに回転することが可能であり、この要素は図示される実施例では円形の断面を有する。この中実の筒状の構成要素は、その軸に平行に対にされた６つの筒状の空洞、即ち図２中の空洞２１ａ−２１ｂ，２２ａ−２２ｂ，２３ａ−２３ｂを具備する。各筒状の空洞は、異なる周波数で動作する導波管を形成する。導波管は、図１に示すように円形の断面を有するものであってもよく、又は示されるように矩形の断面を有するものであってもよく、又は方形の断面を有するものであってもよい。図示するように、対２１ａ−２１ｂ，２２ａ−２２ｂ，２３ａ−２３ｂを形成するフィルタは軸を通る同一直線上に配置される。この実施例では、各円形の導波管フィルタは、両方の偏波で同じ性能を与える絞りによって結合される空洞からなる。この種類のフィルタは、例えば本願出願人名義の２０００年１０月１８日の仏国特許出願第００１３５８２号に記載されている。
【００１４】
上述の装置は以下のように使用される。送信器／受信器装置の製造中、インストーラは、使用されねばならない送信及び受信フィルタ対を、当該の送信及び受信フィルタ対を矢印ｆ及びｆ’で示されるような接続手段６に対向して配置することによって選択する。次に、２つの選択されたフィルタに対向してＴ字型要素が正確に位置決めされ、組立体は単一の小型の構成要素を形成するようクランプされる。
【００１５】
このように、本発明は、セルラー無線方式のスケジューリングのニーズを満たす「ユニバーサルな」送信器／受信器装置を形成することが可能である。同一のセル内では、全ての送信器／受信器装置が同様の構成とされる。選択は、端末が加入者側でサービスを受ける状態とされたときにのみ行われる。上述のように濾波装置を用いることにより、生産及び製造費用が大きく減少されることが可能となる。
【図面の簡単な説明】
【図１】
本発明による電磁波を受信／送信する装置を示す斜視図である。
【図２】
ターレット要素中のフィルタの位置を示す断面図である。
【図２】
2004527148.tif 000004
【国際公開パンフレット】
2004527148.tif 000005
2004527148.tif 000006
2004527148.tif 000007
2004527148.tif 000008
2004527148.tif 000009
2004527148.tif 000010
2004527148.tif 000011
2004527148.tif 000012
2004527148.tif 000013
2004527148.tif 000014
2004527148.tif 000015
【国際調査報告】
2004527148.tif 000016
2004527148.tif 000017